(57)【要約】【課題】  必要に応じて、１本または複数本の被装飾歯を装飾したり、１本または複数本の被装飾歯とその根元の歯肉とを一緒に装飾したりして、自由に、被装飾歯の審美性を改善したり、被装飾歯にデザイン性を付与したりすることができ、しかも、使用者本人が手軽に脱着することができる歯装飾用の装飾体を提供する。【解決手段】  歯装飾用の装飾体１は、被装飾歯（天然歯２０）の表面に装着される装飾歯１０と、被装飾歯１０の表面に固定可能な係止片１４とを備える。装飾歯１０及び係止片１４の少なくとも一方が磁性を有する。装着時には、係止片１４が被装飾歯の表面に固定されると共に、装飾歯１０の裏面が係止片１４を覆うように前記被装飾歯の表面に対向して密接せしめられ、装飾歯１０は、係止片１４との間に作用する磁気吸引力によって前記被装飾歯に係止される。【選択図】    図３
2016112228.tif 000002
【特許請求の範囲】
【請求項１】
被装飾歯の表面に装着される装飾歯と、
前記被装飾歯の表面に固定可能な係止片とを備え、
前記装飾歯及び前記係止片の少なくとも一方が磁性を有しており、
装着時には、前記係止片が前記被装飾歯の表面に固定されると共に、前記装飾歯の裏面が前記係止片を覆うように前記被装飾歯の表面に対向して密接せしめられ、
前記装飾歯は、前記係止片との間に作用する磁気吸引力によって前記被装飾歯に係止されることを特徴とする歯装飾用の装飾体。
【請求項２】
前記装飾歯が、磁性材料または磁性粉末を混入させた材料で形成されていると共に、所定方向に磁化されている請求項１に記載の歯装飾用の装飾体。
【請求項３】
前記係止片が、磁性材料で形成されていると共に、所定方向に磁化されている請求項１に記載の歯装飾用の装飾体。
【請求項４】
前記装飾歯が、磁性材料または磁性粉末を混入させた材料で形成されていると共に、所定方向に磁化されており、
前記係止片が、磁性材料で形成されていると共に、所定方向に磁化されている請求項１に記載の歯装飾用の装飾体。
【請求項５】
前記装飾歯が、前記被装飾歯の基端部に係合可能な形状を持つ係合部を備えている請求項１〜４のいずれかに記載の歯装飾用の装飾体。
【請求項６】
前記装飾歯が、前記被装飾歯の基端部及び先端部にそれぞれ係合可能な形状を持つ第１係合部及び第２係合部を備えている請求項１〜４のいずれかに記載の歯装飾用の装飾体。
【請求項７】
前記装飾歯が複数本、前記被装飾歯の歯列に沿って連続して形成されている請求項１〜６のいずれかに記載の歯装飾用の装飾体。
【請求項８】
前記係止片が、前記被装飾歯の表面とほぼ同じ色とされている請求項１〜７のいずれかに記載の歯装飾用の装飾体。
【発明の詳細な説明】
【技術分野】
【０００１】
本発明は、歯装飾用の装飾体に関し、さらに言えば、被装飾歯（天然歯または人工歯）の審美性（例えば前歯の歯並びの審美性）を改善したり、被装飾歯にデザイン性を付与したりすることができ、しかも、使用者本人が手軽に脱着することが可能な、歯装飾用の装飾体に関する。
【背景技術】
【０００２】
天然歯（以下、歯ともいう）を人工的に装飾することで歯の審美性を改善する手法、具体的に言うと、歯の外観・見栄えを改善したり、歯に装飾を施したりする手法は、以前から提案されてきている。例えば、歯の内部に宝石等の宝飾品を埋め込む方法や、装飾体を歯の表面に固着する方法、歯に形成したリンプルを利用して装飾体を歯の表面に取り外し可能に装着する方法等がある。
【０００３】
宝飾品を歯に埋め込む上記第１の手法では、埋め込む際に専門家による施術が必要であるし、いったん埋め込まれた宝飾品の取り外しは容易でない。したがって、この手法は、長期にわたって宝飾品を使用することが前提になっている。
【０００４】
装飾体を歯の表面に固着する上記第２の方法では、いったん固着してしまうと装飾体の取り外しは容易でない。したがって、この手法も、長期にわたって宝飾品を使用することが前提になっている。また、装飾体を固着する際には、やはり、上記第１の手法のような専門家の施術が必要である。使用者本人が接着するようにできなくはないが、位置がずれて接着されてしまったり、接着剤を誤って取り扱ったりするリスクがある。さらに、使用する接着剤の属性にも注意が必要である。人体に毒性がないことは最低限の要件であるが、所望の接着力を保持しながら、接着作業に要する技術が高度でなく、あまり手間もかからないものでなければならない。このような条件を満たす接着剤を選定ないし製作するのは容易ではない。
【０００５】
歯に形成したリンプルを利用する上記第３の手法では、装飾体の脱着が可能であるから、上記第１の方法や上記第２の方法のように、長期使用が前提になることはない。しかし、リンプルの形成作業は専門家によらなければならないし、装飾体を外した時にリンプルが露呈するから、審美性を損なってしまう、という難点がある。
【０００６】
リンプルを利用せずに装飾体を歯の表面に取り外し可能に装着する関連技術としては、例えば、特許文献１（特開２００７−１２５１１３号公報）と特許文献２（特許第５２４３６４９号公報）に開示されたものがある。
【０００７】
特許文献１には、口腔内の左右小臼歯間に存在する複数の歯および歯肉の前面を被化粧部位として、硬質樹脂をＵ字バンド状に曲成することで前記被化粧部位を被覆可能に形成すると共に、その表面は所望する歯列および歯肉の表面形状とする一方、裏面は前記被化粧部位と密着可能な凹凸形状とし、硬質樹脂の可撓性により前記裏面を少なくとも歯頚および歯間と凹凸係合させて前記被化粧部位に脱着可能に装着することを特徴とした化粧歯が開示されている。前記被化粧部位の「歯」には、天然歯と人工歯（義歯）の双方を含む。
【０００８】
特許文献１の化粧歯では、硬質樹脂の可撓性がもたらす適度な締付感によって、被覆する歯や歯肉の前面に対してその凹凸形状を圧接状態に密着できるため、適合性に優れる。さらに、裏面は被化粧部位の少なくとも歯頚および歯間と凹凸係合するといったように、複雑で立体的な凹凸係合が実現されるため、化粧歯をぐらつきや不用意な脱落がない状態で被化粧部位に装着することができる。また、締付感に抗してＵ字が若干拡開するように化粧歯を撓ませることで、前記凹凸係合が解除され、化粧歯を口腔内から取り外すことができる、とされている（請求項１、段落００２１〜００２５、図１〜図３参照）。
【０００９】
特許文献２には、被装飾歯の表面を装飾する飾歯と、前記被装飾歯の根元の歯肉の表面に接着される飾歯肉とを備え、前記飾歯の根元側が前記飾歯肉と連結していて、前記飾歯の先端側には、前記歯肉の表面に前記飾歯肉の裏面が接着されたときに、前記被装飾歯の頂部を覆う突起部が設けられていて、前記歯肉の表面に前記飾歯肉の裏面が接着されたときに、前記飾歯の裏面の一部は前記被装飾歯の表面に接触しないことを特徴とする装飾歯が開示されている。前記飾歯の裏面と前記飾歯肉の裏面との連結部には、前記歯肉の表面に前記飾歯肉の裏面が接着されたときに、前記被装飾歯の歯頚部に契合する係合部が設けられる。
【００１０】
特許文献２の装飾歯は、装着時には、前記突起部は前記被装飾歯の頂部に係合し、前記係合部は前記被装飾歯の歯頚部に係合するため、接着された装着歯は取れにくく、唇によって押圧されても落下しにくい、とされている（請求項１、段落０００９〜００１１、００５３〜００５７、図１〜図１２参照）。
【先行技術文献】
【特許文献】
【００１１】
【特許文献１】特開２００７−１２５１１３号公報
【特許文献２】特許第５２４３６４９号公報
【発明の概要】
【発明が解決しようとする課題】
【００１２】
しかし、上述した特許文献１の化粧歯では、硬質樹脂の可撓性がもたらす適度な締付感によって、被覆する歯や歯肉の前面に対してその凹凸形状を圧接状態に密着できるようにし、また、締付感に抗してＵ字が若干拡開するように化粧歯を撓ませることで、前記凹凸係合が解除され、化粧歯を口腔内から取り外せるようにしている。このため、特許文献１の化粧歯は、硬質樹脂をＵ字バンド状に曲成することによって形成することが必須である、換言すれば、隣接する４本程度以上の歯を覆う形状にする必要がある。したがって、化粧歯の形状が限定されてしまうという難点がある。つまり、１本や２本の歯だけを覆う形状にはできないということである。
【００１３】
また、この化粧歯は、硬質樹脂の可撓性がもたらす適度な締付感によって、被覆する歯や歯肉の前面に装着されるだけであるから、唇が当たったりすることで使用中に外れてしまう恐れもある。
【００１４】
上述した特許文献２の装飾歯は、被装飾歯を覆う飾歯と、被装飾歯の根元の歯肉を覆う飾歯肉とを有していて、主として、飾歯肉を被装飾歯の根元の歯肉の表面に接着することで固定するようになっているため、常に飾歯と飾歯肉とを組み合わせて製造しなければならないという難点がある。
【００１５】
また、この装飾歯は、被装飾歯の表面ではなく、被装飾歯の根元の歯肉の表面に、義歯の装着に用いる安定剤等によって接着されるだけであるため、特許文献１の化粧歯と同様に、使用中に外れてしまう恐れもある。
【００１６】
本発明は、以上のような事情に基づいてなされたものであり、その目的とするところは、必要に応じて、１本または複数本の被装飾歯を装飾したり、１本または複数本の被装飾歯とその根元の歯肉とを一緒に装飾したりして、自由に、被装飾歯の審美性を改善したり、被装飾歯にデザイン性を付与したりすることができ、しかも、使用者本人が手軽に脱着することができる歯装飾用の装飾体を提供することにある。
【００１７】
本発明の他の目的は、使用中に被装飾歯から外れる恐れがきわめて少ない歯装飾用の装飾体を提供することである。
【００１８】
ここに明記しない本発明の他の目的は、以下の説明及び添付図面から明らかである。
【課題を解決するための手段】
【００１９】
（１）  本発明の歯装飾用の装飾体は、
被装飾歯の表面に装着される装飾歯と、
前記被装飾歯の表面に固定可能な係止片とを備え、
前記装飾歯及び前記係止片の少なくとも一方が磁性を有しており、
装着時には、前記係止片が前記被装飾歯の表面に固定されると共に、前記装飾歯の裏面が前記係止片を覆うように前記被装飾歯の表面に対向して密接せしめられ、
前記装飾歯は、前記係止片との間に作用する磁気吸引力によって前記被装飾歯に係止されることを特徴とするものである。
【００２０】
本発明の歯装飾用の装飾体では、以上の構成を有しているので、前記装飾歯は、前記被装飾歯の表面に固定された前記係止片との間に作用する磁気吸引力によって、前記被装飾歯に係止される。このため、前記係止片が前記被装飾歯の表面に固定された後は、当該装飾体を使用者本人が手軽に脱着することができる。
【００２１】
また、前記装飾歯は、前記係止片との間に作用する磁気吸引力によって前記被装飾歯に係止されるので、前記装飾歯の数は任意であり、１本でも複数本でもよい。歯肉の表面を覆うように形成することも不要である。このため、必要に応じて、１本または複数本の被装飾歯のみを装飾したり、１本または複数本の被装飾歯とその根元の歯肉とを一緒に装飾したりして、自由に、被装飾歯の審美性を改善したり、被装飾歯にデザイン性を付与したりすることができ、しかも、使用者本人が手軽に脱着することができる。
【００２２】
さらに、前記装飾歯は、前記係止片との間に作用する磁気吸引力によって前記被装飾歯に係止されるので、当該磁気吸引力の強さを適切に設定することにより、食事等において唇や舌が当たったりすることで使用中に前記被装飾歯から外れる恐れをほぼなくすことができる。つまり、使用中に前記被装飾歯から外れる恐れをきわめて少なくすることができる。
【００２３】
本発明において「被装飾歯」とは、天然歯だけでなく、インプラント等で固定された人工歯（義歯）も含む。
【００２４】
本発明において「係止片」とは、前記被装飾歯の表面に固定可能であり、且つ、前記装飾歯の裏面を前記係止片を覆うように前記被装飾歯の表面に対向させた時に支障が生じず、さらに、前記装飾歯との間に磁気吸引力を生じさせ得るものであれば、任意の部材が使用可能である。
【００２５】
本発明の歯装飾用の装飾体の好ましい例では、前記装飾歯が、磁性材料または磁性粉末を混入させた材料で形成されると共に、所定方向に磁化される。
【００２６】
本発明の歯装飾用の装飾体の他の好ましい例では、前記係止片が、磁性材料で形成されると共に、所定方向に磁化される。
【００２７】
本発明の歯装飾用の装飾体のさらに他の好ましい例では、前記装飾歯が、磁性材料または磁性粉末を混入させた材料で形成されると共に、所定方向に磁化され、前記係止片が、磁性材料で形成されると共に、所定方向に磁化される。
【００２８】
本発明の歯装飾用の装飾体のさらに他の好ましい例では、前記装飾歯が、前記被装飾歯の基端部に係合可能な形状を持つ係合部を備える。
【００２９】
本発明の歯装飾用の装飾体のさらに他の好ましい例では、前記装飾歯が、前記被装飾歯の基端部及び先端部にそれぞれ係合可能な形状を持つ第１係合部及び第２係合部を備える。
【００３０】
本発明の歯装飾用の装飾体のさらに他の好ましい例では、前記装飾歯が複数本、前記被装飾歯の歯列に沿って連続して形成される。
【００３１】
本発明の歯装飾用の装飾体のさらに他の好ましい例では、前記係止片が、前記被装飾歯の表面とほぼ同じ色とされる。
【発明の効果】
【００３２】
本発明の歯装飾用の装飾体によれば、（ａ）必要に応じて、１本または複数本の被装飾歯を装飾したり、１本または複数本の被装飾歯とその根元の歯肉とを一緒に装飾したりして、自由に、被装飾歯の審美性を改善したり、被装飾歯にデザイン性を付与したりすることができ、しかも、使用者本人が手軽に脱着することができる、（ｂ）使用中に被装飾歯から外れる恐れがきわめて少ない、という効果が得られる。
【図面の簡単な説明】
【００３３】
【図１】本発明の第１実施形態に係る歯装飾用の装飾体の全体構成を示す正面図で、上顎の８本の天然歯列の表面に装着された状態を示している。
【図２】本発明の第１実施形態に係る歯装飾用の装飾体の全体構成を示す下面図で、上顎の８本の天然歯列の表面に装着された状態を示している。
【図３】本発明の第１実施形態に係る歯装飾用の装飾体の、被装飾歯への装着（係止）状態を詳細に示す部分拡大図である。
【図４】本発明の第１実施形態に係る歯装飾用の装飾体が装着される天然歯列（被装飾歯の歯列）の全体構成を示す正面図であり、天然歯の表面に係止片が固定された状態を示している。
【図５】図４に示された天然歯列（被装飾歯の歯列）への係止片の固定状態を詳細に示す部分拡大図である。
【図６】本発明の第２実施形態に係る歯装飾用の装飾体の、被装飾歯への装着（係止）状態を詳細に示す部分拡大図である。
【発明を実施するための形態】
【００３４】
以下、添付図面を参照しながら、本発明の好適な実施形態について説明する。
【００３５】
（第１実施形態）
本発明の第１実施形態に係る歯装飾用の装飾体１の全体構成を図１及び図２に示し、その詳細構成を図３に示す。この装飾体１は、人の上顎の天然歯列２を構成する天然歯２０の前歯部分に装着され、その審美性を改善したり、天然歯２０の前歯部分にデザイン性を付与したりするものである。
【００３６】
上顎の天然歯列２は、図２に示すように、左右対称に配置された合計１６本の天然歯２０からなっている。隣接する天然歯２０の間には、隙間２３（図４を参照）があいている。天然歯列２の前面中央部には、２本の中切歯２０ａが配置されており、各々の中切歯２０ａの内側（奥側）には、それに隣接して側切歯２０ｂが配置されている。各々の側切歯２０ｂの内側（奥側）には、それに隣接して犬歯２０ｃが配置されている。各々の犬歯２０ｃの内側（奥側）には、それに隣接して第1小臼歯２０ｄが配置されている。各々の第1小臼歯２０ｄの内側（奥側）には、それに隣接して第２小臼歯２０ｅが配置されている。各々の第２小臼歯２０ｅの内側（奥側）には、それに隣接して第１大臼歯２０ｆが配置されている。各々の第１大臼歯２０ｆの内側（奥側）には、それに隣接して第２大臼歯２０ｇが配置されている。各々の第２大臼歯２０ｇの内側（奥側）には、それに隣接して第３大臼歯２０ｈが配置されている。
【００３７】
本実施形態の装飾体１は、図１〜図３に示すように、２本の中切歯２０ａをそれぞれ装飾する２本の装飾歯１０と、２本の側切歯２０ｂをそれぞれ装飾する２本の装飾歯１０と、２本の犬歯２０ｃをそれぞれ装飾する２本の２本の装飾歯１０と、２本の第１小臼歯２０ｄをそれぞれ装飾する２本の装飾歯１０とを備えている。したがって、装飾体１に含まれる装飾歯１０の総数は８本である。相互に隣接する２本の装飾歯１０の間には、連結部１１が形成されており、８本の装飾歯１０はそれら７個の連結部１１によって相互に連結され一体化されている。８本の装飾歯１０の色は、ここでは、健康な天然歯の色と同一にされているが、これに限定されるわけではない。必要に応じて、健康な天然歯の色とは異なる色にしても良いことは言うまでもない。
【００３８】
装飾体１の各装飾歯１０の詳細構成を、中切歯２０ａに装着される装飾歯１０を例にとって説明すると、次のとおりである。
【００３９】
中切歯２０ａは、図３に示すように、歯頚部３０の内部に埋め込まれた歯根２０ａａをその根元に有しており、歯根２０ａａ以外の部分が歯頚部３０から下方に向かって突出している。中切歯２０ａ用の装飾歯１０は、図１より分かるように、中切歯２０ａの歯頚部３０から突出して歯頚部３０より露出している部分（以下、露出部という）の表面側の露出面全体を覆う形状を有している。歯根２０ａａは全体が歯頚部３０の内部に埋没しているから、装飾歯１０ａは中切歯２０ａの歯根２０ａａ以外の部分（つまり露出部）の表面側の露出面の全体を覆っている、と言うこともできる。
【００４０】
装飾歯１０の歯頚部３０との境界部の近傍、換言すれば、装飾歯１０の根元付近には、中切歯２０ａの露出部と歯頚部３０との境界部近傍の外面に係合可能な形状を持つ第１係合部２１が形成されている。第１係合部２１は、中切歯２０ａの境界部の湾曲した外面に整合した湾曲形状をもち、その外面に密着した状態でしっかりと係合されている。
【００４１】
装飾歯１０の先端には、中切歯２０ａの先端部に係合可能な形状を持つ第２係合部２２が形成されている。第２係合部２２は、中切歯２０ａの（露出部の）先端部の湾曲した外面に整合した湾曲形状をもち、その外面に密着した状態で係合されている。図３に示すように、第２係合部２２は、中切歯２０ａの先端部より少しだけ内側に入り込んでいて、中切歯２０ａの先端部に係止されている。このため、装飾歯１０は、第１係合部１２と第２係合部１３の２箇所で中切歯２０ａ（の露出部）をその両側から挟み込む形で、しっかりと係合されている。
【００４２】
中切歯２０ａ用の装飾歯１０について述べた上記構成は、中切歯２０ａ以外の7本の天然歯２０用の装飾歯１０についても同様である。
【００４３】
本実施形態の装飾体１は、合計８本の装飾歯１０を一列に連結して構成されていると共に、天然歯列２０の８本の前歯部分に沿って湾曲せしめられた形状を持っている。このような構成及び形状を有する装飾体１は、硬質の合成樹脂、具体的にはＰＭＭＡ（polymethyl methacrylate）からなる素材から形成されており、その素材中にはネオジム磁石粉末が分散・配合されている。そして、それらネオジム磁石粉末は、公知の方法で所定の方向に磁化されている。したがって、装飾体１は磁性を有しており、天然歯列２０の表面に固定される係止片１４（詳細は後述する）との間で磁気吸引力を生じさせることができる。
【００４４】
つまり、装飾体１は、各装飾歯１０の第１係合部１２及び第２係合部１３を、対応する天然歯２０の第１係合部２２及び第２係合部２３にそれぞれ係合させることで、機械的に接続（係止）されており、それと同時に、係止片片１４との間に生じる磁気吸引力によっても接続（保持）されるから、装飾体１の天然歯列２０への装着強度が大幅に向上するという利点がある。
【００４５】
装飾体１は、例えば、ネオジム磁石粉末が分散・配合されたＰＭＭＡを素材とし、例えば、成形型を用いた熱成形により形成されることができる。しかし、この方法に限定されるわけではない。例えば、ネオジム磁石粉末が分散・配合されたＰＭＭＡディスクをＣＡＤ／ＣＡＭを用いて機械加工することによっても製作可能であるし、３Ｄプリンターによっても製作可能である。また、素材も、ネオジム磁石粉末が分散・配合されたＰＭＭＡに限定されるわけではなく、同様の合成樹脂も使用可能である。磁石粉末についても同様であり、ネオジム磁石粉末以外の磁石粉末も使用可能であるし、ＰＭＭＡ以外の材料も使用可能である。何らかの形で、装飾体１に磁性を付与できるものであればよい。
【００４６】
図４及び図５は、天然歯２０の前歯の表面の装飾歯１０との重なり領域に、複数の係止片１４が固定された状態を示す。
【００４７】
本実施形態では、係止片１４は矩形状とされており、その大きさは例えば２ｍｍ×３ｍｍ程度とされ、その厚さは例えば０．５ｍｍ程度とされている。係止片１４は合計４枚使用されており、２枚は２本の中切歯２０ａの表面にそれぞれ固定され、他の２枚は２本の犬歯２０ｃの表面にそれぞれ固定されている。係止片１４は、ここでは、白色磁性ステンレスシートの小片から形成されている。白色としているのは、天然歯２０と同色とすることで、装飾歯１０を天然歯２０から外した時にも、係止片１４の存在が目立たないようにするためである。なお、係止片１４の大きさは任意であるが、１つの天然歯２０の表面領域の範囲内に収まる大きさとするのが好ましい。
【００４８】
係止片１４の天然歯２０への固定は、公知のセメントを用いて行われる。換言すれば、係止片１４は天然歯２０の表面にセメンティングされる。ここで使用されるセメントとしては、例えば、矯正用ブラケット固定用のＣＲ系レジンセメント、またはＰＭＭＡ系レジンセメントが、好適に使用できる。しかし、これらに限定されず、係止片１４を天然歯２０の表面に固定できるものであれば、他の任意の材料が使用可能である。
【００４９】
係止片１４に使用する白色磁性ステンレスシートとしては、例えば、ＳＵＳＸＭ２７、ＳＵＳ４３０、ＳＵＳ４４７Ｊ、ＳＵＳ４４４（ＡＵＭ２０）のいずれかとするのが好ましい。これらは、装飾体１が持つ磁性に応じて磁化しやすく、所望の磁気吸引力を得やすいからである。しかし、これに限定されるわけではなく、装飾歯１０が持つ磁性に応じて容易に磁化するものであれば、他の材料も使用可能である。
【００５０】
係止片１４の総数は、装飾体１に含まれる装飾歯の本数に応じて決められる。例えば、本実施形態では、装飾歯の総数が６であるから、係止片１４の総数を４個としているが、３個あるいはそれより少なくしてもよい。
【００５１】
なお、装飾歯２０の装着時には、係止片１４の存在により、天然歯２０の表面と装飾歯２０の裏面の間には、係止片１４の厚さ（例えば０．５ｍｍ）にほぼ相当する大きさの隙間が生じるが、図３ではその隙間は省略されている。しかし、係止片１４の厚さを十分小さくしていること、そして、各装飾歯１０の第１係合部１２と第２係合部１３が対応する天然歯２０（被装飾歯）の第１係合部２１と第２係合部２２にそれぞれ係止されることで、その隙間が各装飾歯１０の先端側と基端側で塞がれていることから、その隙間によって何ら支障は生じない。
【００５２】
次に、以上述べたような構成を持つ本発明の第１実施形態に係る歯装飾用の装飾体１の製作方法と使用方法について説明する。
【００５３】
まず、公知の方法により使用者の上顎の歯形を印象採得し、それに基づいて作業模型を製作する。次に、その作業模型をスキャニングして得られたデータに基づき、ＣＡＤ／ＣＡＭを用いて、装飾体１の全体形状をデザインする。その後、そのデザインに沿って、ネオジム磁石粉末が分散・配合されたディスク状のＰＭＭＡ素材（ＰＭＭＡブロック）を機械加工し、そのＰＭＭＡ素材から装飾体１の全体形状を削り出す。最後に、削り出された装飾体１の全体形状を持つＰＭＭＡ素材を調整・研磨して、装飾体１を製作する。この作業は通常、歯科技工士が行う。
【００５４】
他方、使用者の上顎の装飾体１が装着されるべき８本の前歯の表面の適当な箇所に、図４及び図５に示すように、４枚の係止片１４をセメンティングによって固定する。この作業は通常、歯科医師が行う。
【００５５】
その後、係止片１４が確実に固定されたことを確認してから、歯科医師または使用者自身が、所定形状に成形された装飾体１を、使用者の上顎の天然歯２０にその外側から押し付けるようにすれば、容易に装着できる。このとき、外力を加えて装飾体１を少し撓めることにより、装飾歯１０の第１係合部１２と第２係合部１３を対応する天然歯の第１係合部２１と第２係合部２２にそれぞれ係合させることができる。すると、装飾体１と係止片１４との間に生じる磁気吸引力により、装飾体１は天然歯列２の外面に密着し、その状態で保持される。装飾体１の（装飾歯１０の）外面に模様等を描いて装飾を施しておけば、使用者が口を開けるたびにその装飾が外部に露出することになる。したがって、使用者の前歯の審美性だけでなく、必要に応じて前歯のデザイン性も高めることができる。
【００５６】
また、装飾体１を取り外すときは、使用者が、装飾体１をつかんで外側に向けて引っ張ることで、装飾体１と係止片１４との間に生じる磁気吸引力に抗して引き離せばよい。装飾体１の表面と裏面を指で挟んで、斜め下方外側に向けて引っ張ると、装飾歯１０が少し撓んで、装飾歯１０の第１係合部１２と第２係合部１３が対応する天然歯の第１係合部２１と第２係合部２２から外れる。その状態で装飾歯１０を外側にさらに引っ張ると、使用者自身が装飾体１を簡単に取り外すことができる。装飾体１を再度、装着したいときは、上述したようにして、使用者自身が簡単に装着することができる。
【００５７】
なお、本実施形態の装飾体１の使用時には、以下の点に注意が必要である。すなわち、装飾歯１０は、ＰＭＭＡ素材と金属製の係止片１４を使用するので、金属アレルギーやレジンアレルギーのある人には使用できない。また、装飾体１と係止片１４との間に生じる磁力の磁束密度は、人体の健康に影響が及ばない程度に抑えることが必要である。さらに、装飾体１を使用者自身が着脱可能であるため、天然歯２０の歯面の二次齲蝕には、ブラッシングなどでケアする必要がある。
【００５８】
以上述べたように、本発明の第１実施形態に係る歯装飾用の装飾体１では、装飾歯１０は、被装飾歯である８本の天然歯２０の表面に固定された係止片１４との間に作用する磁気吸引力によって、８本の天然歯２０（被装飾歯）に係止される。このため、係止片１４がそれら天然歯２０の表面に固定された後は、当該装飾体１を使用者本人が手軽に脱着することができる。
【００５９】
また、装飾歯１０は、係止片１４との間に作用する磁気吸引力によって被装飾歯（天然歯２０）に係止されるので、装飾歯１０の数は任意であり、１本でも複数本でもよい。歯肉の表面を覆うように形成することも不要である。このため、必要に応じて、１本または複数本の被装飾歯（天然歯２０）のみを装飾したり、１本または複数本の被装飾歯（天然歯２０）とその根元の歯肉とを一緒に装飾したりして、自由に、被装飾歯の審美性を改善したり、被装飾歯にデザイン性を付与したりすることができ、しかも、使用者本人が手軽に脱着することができる。
【００６０】
さらに、装飾歯１０は、係止片１４との間に作用する磁気吸引力によって被装飾歯（天然歯２０）に係止されるので、当該磁気吸引力の強さを適切に設定することにより、食事等において唇や舌が当たったりすることで使用中に被装飾歯（天然歯２０）から外れる恐れをほぼなくすことができる。つまり、使用中に被装飾歯（天然歯２０）から外れる恐れをきわめて少なくすることができる。
【００６１】
（第２実施形態）
次に、本発明の第２実施形態について説明する。
【００６２】
本発明の第２実施形態に係る歯装飾用の装飾体１Ａの全体構成を図６に示す。この装飾体１Ａは、上述した第１実施形態に係る歯装飾用の装飾体１と同様に、上顎の天然歯列２を構成する８本の天然歯２０の前歯部分に装着されるものである。
【００６３】
第２実施形態に係る装飾体１Ａは、上述した第１実施形態に係る歯装飾用の装飾体１から第２係合部１３を除去したものに相当する。したがって、同一の構成については、第１実施形態に係る装飾体１と同一の符号を付して、その説明を省略する。
【００６４】
第２実施形態に係る装飾体１Ａでは、第２係合部１３が除去されているので、図６に示すように、装飾歯１０の第１係合部１２が、中切歯２０ａ（天然歯２０）の基端の第１係合部２１に係合するだけである。装飾歯１０は、中切歯２０ａ（天然歯２０）の先端の第２係合部２２には係合しないため、中切歯２０ａ（天然歯２０）の先端は装飾歯１０によって覆われず、露出したままになる。このため、上述した第１実施形態に係る装飾体１と同じ効果に加えて、上顎と下顎を噛み合わせたときに装飾歯１０の第２係合部１３が邪魔にならないという効果がある。
【００６５】
なお、上述した第１実施形態と同様に、第２実施形態に係る装飾体１Ａでも、天然歯２０の表面と装飾歯２０の裏面の間に、係止片１４の厚さ（例えば０．５ｍｍ）にほぼ相当する大きさの隙間が生じるが、係止片１４の厚さを十分小さくすること、そして、各装飾歯１０の先端が対応する天然歯２０（被装飾歯）の第２係合部２２に密着するように、係止片１４と装飾歯１０を形成することで、その隙間を各装飾歯１０の先端側で塞ぐようにしている。このため、装飾体１Ａの使用中になんら支障は生じない。
【００６６】
（変形例）
上述した二つの実施形態は、本発明を具体化した例を示すものである。したがって、本発明はこれらの実施形態に限定されるものではなく、本発明の趣旨を外れることなく種々の変形が可能であることは言うまでもない。
【００６７】
例えば、係止片１４によって装飾歯１０を天然歯２０に固定する際には、次のように、三つの方法が使用可能である。
【００６８】
（ｉ）装飾歯１０を磁性材料または磁性粉末を混入させた材料で形成してから、公知の方法で所定方向に磁化させる一方、係止片１４を容易に磁化する材料で形成する。この場合、装飾歯１０が持つ磁力によって係止片１４が磁化することで、両者の間に磁気吸引力が生じる。これは、上述した第１及び第２の実施形態で使用された方法である。
【００６９】
これ以外に、（ｉｉ）係止片１４を磁性材料で形成して所定方向の磁化を施しておき、装飾歯１０を磁性材料または磁性粉末を混入させた材料で形成してもよい。この場合、係止片１４が持つ磁力によって装飾歯１０が磁化することで、両者の間に磁気吸引力が生じる。
【００７０】
さらに、上記両者の組み合わせでもよい。つまり、（ｉｉｉ）装飾歯１０を磁性材料または磁性粉末を混入させた材料で形成してから所定方向に磁化させる一方、係止片１４を容易に磁化する材料で形成してから所定方向に磁化させてもよい。この場合、装飾歯１０と係止片１４の双方が持つ磁力の方向を整合させることで、装飾歯１０と係止片１４の双方が持つ磁力によって、両者の間に磁気吸引力が生じる。
【００７１】
さらに、上述した実施形態では、装飾歯１０を天然歯列２の上顎の前歯に装着するようにしているが、本発明はこれに限定されない。天然歯列２の下顎の前歯に装着するようにしてもよいし、それ以外の部分に装着するようにしてもよい。装飾歯１０の本数も、必要に応じて１本あるいは２本以上に、任意に設定可能である。
【符号の説明】
【００７２】
１  装飾体
１０  装飾歯
１１  連結部
１２  第１係合部
１３  第２係合部
１４  係止片
２  天然歯列
２０  天然歯
２０ａ  中切歯
２０ａａ  歯根
２０ｂ  側切歯
２０ｃ  犬歯
２０ｄ  第１小臼歯
２０ｅ  第２小臼歯
２０ｆ  第１大臼歯
２０ｇ  第２大臼歯
２０ｈ  第３大臼歯
２１  第１係合部
２２  第２係合部
２３  隙間
３０  歯頚部
【図１】
2016112228.tif 000003
【図２】
2016112228.tif 000004
【図３】
2016112228.tif 000005
【図４】
2016112228.tif 000006
【図５】
2016112228.tif 000007
【図６】
2016112228.tif 000008